(57)【特許請求の範囲】
【請求項１】
空調部から供給される加熱又は冷却するための空気である熱媒体を流通させる流通部を備え、
前記流通部は、手摺ベルトまで前記熱媒体を流通させるベルト流通部と、前記手摺ベルトを支持する欄干本体の複数の吹出部から搬送部側へ熱媒体を吹き出すために、前記複数の吹出部まで前記熱媒体を流通させる吹出流通部と、を備える、マンコンベヤ用空調装置であって、
前記ベルト流通部と前記吹出流通部とは、前記空調部に対して直列に接続され、
前記ベルト流通部は、前記吹出流通部よりも上流側に配置され、
前記流通部は、前記ベルト流通部及び前記吹出流通部間に、前記ベルト流通部及び前記吹出流通部間を開放状態と閉鎖状態とに切り替えるために開閉する開閉部を備える、マンコンベヤ用空調装置。
【請求項２】
前記吹出流通部は、前記熱媒体が内部を流通する管路を備え、
前記管路は、内部の下流側を加圧するための送風機を備える、請求項１に記載のマンコンベヤ用空調装置。
【請求項３】
前記管路は、主管路と、前記主管路から分岐され、前記主管路と前記吹出部とを接続する複数の分岐管路と、を備え、
前記送風機は、前記分岐管路に配置される、請求項２に記載のマンコンベヤ用空調装置。
【請求項４】
請求項１〜３の何れか１項に記載の空調装置と、
人を搬送する搬送部と、
前記空調装置からの熱媒体を前記搬送部側へ吹き出す吹出部を有する欄干部と、
前記搬送部に乗る人を検出する人検出部と、
前記人検出部が最後に人を検出してから設定時間が経過した場合に、前記吹出部から前記熱媒体を吹き出すことを抑制するように、前記空調装置を制御する制御部と、を備える、マンコンベヤ。
【発明の詳細な説明】
【技術分野】
【０００１】
本出願は、マンコンベヤ用空調装置及びマンコンベヤに関する。
【背景技術】
【０００２】
従来、マンコンベヤ用空調装置として、例えば、手摺ベルトへ冷却媒体を流通する空調装置が知られている（例えば、特許文献１）。また、マンコンベア用空調装置として、例えば、欄干本体の吹出部まで熱媒体（加熱媒体、冷却媒体）を流通する空調装置が知られている（例えば、特許文献２〜４）。しかしながら、手摺ベルトと欄干本体の吹出部との両方へ熱媒体を流通する空調装置は、存在していない。
【先行技術文献】
【特許文献】
【０００３】
【特許文献１】特開２００７−２３８３０９号公報
【特許文献２】特開平２−２５５４９２号公報
【特許文献３】特開平５−２１３５７５号公報
【特許文献４】特開平１１−７９６４８号公報
【発明の概要】
【発明が解決しようとする課題】
【０００４】
そこで、課題は、手摺ベルトと欄干本体の吹出部との両方へ熱媒体を流通することができるマンコンベヤ用空調装置及びマンコンベヤを提供することである。
【課題を解決するための手段】
【０００５】
マンコンベヤ用空調装置は、空調部から供給される加熱又は冷却するための空気である熱媒体を流通させる流通部を備え、前記流通部は、前記手摺ベルトまで前記熱媒体を流通させるベルト流通部と、前記手摺ベルトを支持する欄干本体の複数の吹出部から搬送部側へ熱媒体を吹き出すために、前記複数の吹出部まで前記熱媒体を流通させる吹出流通部と、を備える。
【０００６】
また、マンコンベヤ用空調装置においては、前記ベルト流通部と前記吹出流通部とは、前記空調部に対して直列に接続され、前記ベルト流通部は、前記吹出流通部よりも上流側に配置され、前記流通部は、前記ベルト流通部及び前記吹出流通部間に、前記ベルト流通部及び前記吹出流通部間を開放状態と閉鎖状態とに切り替えるために開閉する開閉部を備える、という構成でもよい。
【０００７】
また、マンコンベヤ用空調装置においては、前記吹出流通部は、前記熱媒体が内部を流通する管路を備え、前記管路は、内部の下流側を加圧するための送風機を備える、という構成でもよい。
【０００８】
また、マンコンベヤ用空調装置においては、前記管路は、主管路と、前記主管路から分岐され、前記主管路と前記吹出部とを接続する複数の分岐管路と、を備え、前記送風機は、前記分岐管路に配置される、という構成でもよい。
【０００９】
また、マンコンベヤは、前記の空調装置と、人を搬送する搬送部と、前記空調装置からの熱媒体を前記搬送部側へ吹き出す吹出部を有する欄干部と、前記搬送部に乗る人を検出する人検出部と、前記人検出部が最後に人を検出してから設定時間が経過した場合に、前記吹出部から前記熱媒体を吹き出すことを抑制するように、前記空調装置を制御する制御部と、を備える。
【図面の簡単な説明】
【００１０】
【図１】図１は、一実施形態に係るマンコンベヤの概要図である。
【図２】図２は、同実施形態に係るマンコンベヤの要部図である。
【図３】図３は、同実施形態に係るマンコンベヤの要部図である。
【図４】図４は、図３のIV−IV線の拡大断面図である。
【図５】図５は、図３のＶ−Ｖ線の拡大断面図である。
【図６】図６は、図５のVI−VI線の拡大断面図である。
【図７】図７は、同実施形態に係るマンコンベヤの制御ブロック図である。
【発明を実施するための形態】
【００１１】
以下、マンコンベヤにおける一実施形態について、図１〜図７を参照しながら説明する。なお、各図において、図面の寸法比と実際の寸法比とは、必ずしも一致しておらず、また、各図面の間での寸法比も、必ずしも一致していない。
【００１２】
図１及び図２に示すように、本実施形態に係るマンコンベヤ１は、躯体に設置される構造体２と、人を前後方向Ｄ１へ搬送する搬送部３と、搬送部３を幅方向Ｄ２で挟むように配置される一対（各図において、一つのみ図示している）の欄干部４，４とを備えている。また、マンコンベヤ１は、搬送部３及び欄干部４を駆動させる駆動部５と、空調を行う空調装置６と、各部５，６を制御する制御部７とを備えている。
【００１３】
本実施形態に係るマンコンベヤ１は、人を搬送するために、踏面が階段状になるエスカレータであるが、斯かる構成に限られない。例えば、マンコンベヤ１は、人を搬送するために、踏面が平面状となる移動歩道（動く歩道）であってもよい。
【００１４】
搬送部３は、駆動部５に駆動されることによって無端回転する環状の走行部（例えば、チェーン）３ａと、走行部３ａに対して回転可能に接続され、人が乗る踏面を有する複数のステップ３ｂとを備えている。走行部３ａは、幅方向Ｄ２に離れて一対（図１においては、一つのみを図示している）設けられている。そして、複数のステップ３ｂは、一対の走行部３ａ，３ａの間に配置され、それぞれの走行部３ａに対して回転可能に接続されている。
【００１５】
欄干部４は、無端回転する環状の手摺ベルト４ａと、手摺ベルト４ａを支持する欄干本体４ｂとを備えている。そして、欄干本体４ｂは、下部に、手摺ベルト４ａを内部に収容する収容部４ｃを備えている。なお、収容部４ｃは、空調装置６からの熱媒体（空気）を搬送部３側へ吹き出すために複数の吹出部４ｄを備えている。
【００１６】
駆動部５は、ステップ３ｂが反転するように、走行部３ａが巻き掛けられる第１回転部（例えば、スプロケット、鎖歯車）５ａ，５ａと、走行部３ａが無端回転してステップ３ｂが走行するように、第１回転部５ａを回転させる駆動源５ｂとを備えている。また、駆動部５は、手摺ベルト４ａが巻き掛けられる第２回転部（例えば、ローラ）５ｃを備えている。
【００１７】
そして、駆動源５ｂの駆動が第２回転部５ｃに伝達されることによって、手摺ベルト４ａは、走行部３ａの無端回転及びステップ３ｂの走行と同期して、無端回転する。なお、手摺ベルト４ａの回転速度は、搬送部３の搬送速度（走行部３ａの回転速度、ステップ３ｂの走行速度）に比例している。
【００１８】
また、マンコンベヤ１は、回転部５ａ，５ｃの回転方向を変更することによって、搬送部３の搬送方向（走行部３ａの回転方向、ステップ３ｂの走行方向）及び手摺ベルト４ａの回転方向をそれぞれ変更可能である。これにより、マンコンベヤ１は、人を上方向へ搬送する状態と下方向へ搬送する状態とに切り替え可能である。
【００１９】
また、マンコンベヤ１は、搬送部３に対して乗り降りするために、搬送部３の前後方向Ｄ１の各端部に乗降部１ａ，１ｂを備えている。乗降部１ａ，１ｂは、構造体２の機械室２ａ，２ｂを上方から覆うように、構造体２に取り付けられる床プレート１ｃを備えている。
【００２０】
また、マンコンベヤ１は、搬送部３に乗る人を検出する人検出部８を備えている。人検出部８は、搬送部３に乗る人が存在するか否かを検出する。特に限定されないが、人検出部８は、例えば、幅方向Ｄ２に向けて投射される光電センサ（例えば、透過型、反射型）とし、欄干部４の下部（具体的には、収容部４ｃ）に配置されている、という構成でもよい。
【００２１】
図１〜図３に示すように、空調装置６は、加熱又は冷却するための空気である熱媒体を供給する空調部６ａと、熱媒体を流通させる流通部６ｂとを備えている。そして、一つの空調部６ａに対して、流通部６ｂは、二つ備えられており（図１及び図３においては、一つのみ図示している）、流通部６ｂは、一対の欄干部４，４にそれぞれ配置されている。なお、空調部６ａは、一つの流通部６ｂに対して一つ備えられていてもよい。
【００２２】
空調部６ａは、特に限定されないが、エアコンとすることができ、加熱するための加熱媒体と、冷却するための冷却媒体とを供給することができる。また、空調部６ａは、構造体２の内部に配置されており、特に限定されないが、本実施形態のように、下方側の機械室２ａの内部に配置されてもよく、また、例えば、上方側の機械室２ｂの内部に配置されてもよい。
【００２３】
流通部６ｂは、手摺ベルト４ａまで熱媒体を流通させるベルト流通部９と、欄干本体４ｂの吹出部４ｄまで熱媒体を流通させる吹出流通部１０と、ベルト流通部９及び吹出流通部１０間に配置される開閉部６ｃとを備えている。このように、流通部６ｂは、手摺ベルト４ａと欄干本体４ｂの吹出部４ｄとの両方に熱媒体を供給することができる。
【００２４】
また、ベルト流通部９と吹出流通部１０とは、空調部６ａに対して直列に接続されている。そして、ベルト流通部９は、吹出流通部１０よりも上流側に配置されている。具体的には、ベルト流通部９の上流端は、空調部６ａに接続されおり、ベルト流通部９の下流端は、開閉部６ｃに接続されており、また、吹出流通部１０の上流端は、開閉部６ｃに接続されており、吹出流通部１０の下流端は、閉塞されている。
【００２５】
これにより、ベルト流通部９は、空調部６ａからの熱媒体を手摺ベルト４ａまで流通させる機能と、空調部６ａからの熱媒体を吹出流通部１０まで流通させる機能とを兼用している。したがって、例えば、流通部６ｂの長さの合計（例えば、後述する管路９ａ，１０ａの長さの総計）が短くなる。なお、流通部６ｂは、特に限定されないが、本実施形態のように、構造体２の内部と欄干本体４ｂ（具体的には、収容部４ｃ）の内部とに渡って配置されてもよい。
【００２６】
また、開閉部６ｃは、開閉することによって、ベルト流通部９及び吹出流通部１０間を開放状態と閉鎖状態とに切り替え可能に構成されている。これにより、開閉部６ｃが開放されることによって、熱媒体を吹出流通部１０へ流通することができ、反対に、開閉部６ｃが閉鎖されることによって、熱媒体の吹出流通部１０への流通を停止することができる。特に限定されないが、開閉部６ｃは、例えば、ダンパ又はバルブとすることができる。
【００２７】
図４に示すように、ベルト流通部９は、熱媒体が内部を流通する管路９ａを備えており、特に限定されないが、管路９ａは、例えばダクトやパイプ等によって構成されてもよい。なお、管路９ａの上流端は、空調部６ａ（図３参照）に接続されており、管路９ａの下流端は、開閉部６ｃ（図３参照）に接続されている。また、管路９ａは、手摺ベルト４ａに沿って延びている。特に限定されないが、管路９ａは、本実施形態のように、手摺ベルト４ａの下方側に配置されてもよい。
【００２８】
そして、管路９ａは、手摺ベルト４ａと対面する位置に、手摺ベルト４ａに向けて熱媒体を流出させる流出部９ｂを備えている。これにより、熱媒体によって手摺ベルト４ａを加熱したり冷却したりすることができる。また、ベルト流通部９は、例えば、手摺ベルト４ａが管路９ａの内部を通過することによって、手摺ベルト４ａを加熱したり冷却したりしてもよい。
【００２９】
図５及び図６に示すように、吹出流通部１０は、熱媒体が内部を流通する管路１０ａを備えており、特に限定されないが、管路１０ａは、例えばダクトやパイプ等によって構成されてもよい。そして、管路１０ａは、主管路１０ｂと、主管路１０ｂから分岐される複数（図５及び図６においては、一つのみ図示している）の分岐管路１０ｃとを備えている。
【００３０】
主管路１０ｂの上流端は、開閉部６ｃ（図３参照）に接続されており、主管路１０ｂの下流端（図１参照）は、閉塞している。また、主管路１０ｂは、手摺ベルト４ａに沿って延びている。特に限定されないが、主管路１０ｂは、本実施形態のように、手摺ベルト４ａの下方側に配置されてもよい。
【００３１】
分岐管路１０ｃの上流端は、主管路１０ｂの側方の開口部１０ｄに接続されており、分岐管路１０ｃの下流端は、欄干部４の収容部４ｃのパネル４ｅ（一般的に、スカートパネルと呼ばれる）に接続されている。これにより、分岐管路１０ｃは、主管路１０ｂと欄干部４の吹出部４ｄとを接続している。
【００３２】
なお、一つの分岐管路１０ｃが接続される吹出部４ｄの個数（図６においては、５つ）は、特に限定されない。また、熱媒体が欄干本体４ｂから搬送部３側へ吹き出し可能であれば、欄干本体４ｂにおける吹出部４ｄの位置は、特に限定されない。
【００３３】
ところで、主管路１０ｂの長さは、長くなっている。特に、ベルト流通部９と吹出流通部１０とが空調部６ａに対して直列に接続されているため（図１参照）、吹出流通部１０の管路１０ａの下流側においては、管路１０ａの内部の圧力が低下する可能性がある。そして、管路１０ａの内部の圧力が低下した場合には、吹出部４ｄから熱媒体を確実に吹き出すことができない恐れがある。
【００３４】
そこで、吹出流通部１０の管路１０ａは、複数（図５及び図６においては、一つのみ図示している）の送風機１０ｅを備えている。そして、送風機１０ｅは、それぞれの分岐管路１０ｃに配置されている。これにより、送風機１０ｅよりも下流側の分岐管路１０ｃの内部を加圧することができる。
【００３５】
したがって、吹出部４ｄから吹き出す熱媒体に対して確実に加圧することができるため、吹出部４ｄから搬送部３側へ熱媒体を確実に吹き出すことができる。なお、特に限定されないが、送風機１０ｅは、本実施形態のように、分岐管路１０ｃの上流端に配置されてもよい。また、特に限定されないが、送風機１０ｅは、例えば、ファンやブロワとしてもよい。
【００３６】
また、図７に示すように、マンコンベヤ１は、各種情報が入力される入力部１１と、各種情報が出力される出力部１２とを備えている。特に限定されないが、入力部１１は、例えば、スイッチ、タッチパネル、携帯装置（リモコン、携帯端末）とすることができる。また、特に限定されないが、出力部１２は、例えば、音声部（例えば、ブザー、スピーカ）、表示部（例えば、表示板、表示灯）、携帯装置（リモコン、携帯端末）とすることができる。
【００３７】
制御部７は、各種情報を取得する取得部７ａと、各種情報を記憶する記憶部７ｂと、取得部７ａ及び記憶部７ｂの情報に基づいて、各種情報を演算する演算部７ｃとを備えている。そして、制御部７は、駆動部５を制御する駆動制御部７ｄと、空調装置６（例えば、空調部６ａ、開閉部６ｃ及び送風機１０ｅ）を制御する空調制御部７ｅと、出力部１２を制御する出力制御部７ｆとを備えている。
【００３８】
なお、制御部７は、ＣＰＵ、メモリ等を有した所謂コンピュータである。そして、制御部７は、メモリに格納されたプログラムをＣＰＵで実行することによって、各部７ａ〜７ｆとしての機能を有するものである。
【００３９】
本実施形態に係るマンコンベヤ１の構成については以上の通りであり、次に、本実施形態に係るマンコンベヤ１の空調制御について説明する。なお、空調制御は、以下の制御に限定されない。
【００４０】
例えば、搬送部３に人が乗っていない場合には、吹出部４ｄから熱媒体を吹き出すことが不要となる場合がある。一方で、手摺ベルト４ａが熱く（冷たく）なり過ぎることを抑制するために、熱媒体によって手摺ベルト４ａを連続して冷却（加熱）する必要がある。
【００４１】
そこで、人検出部８が最後に人を検出してから設定時間が経過した場合に、空調制御部７ｅは、開閉部６ｃを閉鎖し、且つ、送風機１０ｅを停止する。これにより、搬送部３に人が乗っていない場合に、吹出部４ｄから熱媒体を吹き出すことを抑制することができると共に、熱媒体によって手摺ベルト４ａを冷却（加熱）することを継続することができる。したがって、例えば、電力の浪費を抑制することができる。
【００４２】
なお、人検出部８が最後に人を検出してから設定時間が経過した場合に、駆動制御部７ｄは、駆動部５を制御することによって、搬送部３の搬送速度及び手摺ベルト４ａの回転速度を定格速度から低速速度へ遅くしてもよい。但し、空調部６ａから熱媒体が供給されている環境（例えば、気候条件）においては、熱媒体によって手摺ベルト４ａを冷却（加熱）することが必要である。
【００４３】
したがって、搬送部３の搬送（走行部３ａの無端回転、ステップ３ｂの走行）及び手摺ベルト４ａの無端回転は、維持される。即ち、搬送部３の搬送速度及び手摺ベルト４ａの回転速度は、ゼロにならない。
【００４４】
また、例えば、空調部６ａから加熱媒体（温風）を供給している場合には、冬場などの寒い時期である。そして、寒い時期においては、人が厚着等をしているため、吹出部４ｄから熱媒体を吹き出しても効果があまりない場合がある。斯かる場合には、吹出部４ｄから熱媒体を吹き出すことが不要である。
【００４５】
そこで、特に限定されないが、空調部６ａから加熱媒体を供給している場合には、空調制御部７ｅは、開閉部６ｃを閉鎖し、且つ、送風機１０ｅを停止してもよい。これにより、空調部６ａから加熱媒体を供給している場合に、吹出部４ｄから加熱媒体を吹き出すことを抑制することができると共に、加熱媒体によって手摺ベルト４ａを加熱することができる。したがって、例えば、電力の浪費を抑制することができる。
【００４６】
以上より、本実施形態に係るマンコンベヤ用空調装置６は、空調部６ａから供給される加熱又は冷却するための空気である熱媒体を流通させる流通部６ｂを備え、前記流通部６ｂは、前記手摺ベルト４ａまで前記熱媒体を流通させるベルト流通部９と、前記手摺ベルト４ａを支持する欄干本体４ｂの複数の吹出部４ｄから搬送部３側へ熱媒体を吹き出すために、前記複数の吹出部４ｄまで前記熱媒体を流通させる吹出流通部１０と、を備える。
【００４７】
斯かる構成によれば、ベルト流通部９は、手摺ベルト４ａまで熱媒体を流通させ、吹出流通部１０は、複数の吹出部４ｄまで熱媒体を流通させる。これにより、手摺ベルト４ａと欄干本体４ｂの吹出部４ｄとの両方へ熱媒体を流通することができる。
【００４８】
また、本実施形態に係るマンコンベヤ用空調装置６においては、前記ベルト流通部９と前記吹出流通部１０とは、前記空調部６ａに対して直列に接続され、前記ベルト流通部９は、前記吹出流通部１０よりも上流側に配置され、前記流通部６ｂは、前記ベルト流通部９及び前記吹出流通部１０間に、前記ベルト流通部９及び前記吹出流通部１０間を開放状態と閉鎖状態とに切り替えるために開閉する開閉部６ｃを備える、という構成である。
【００４９】
斯かる構成によれば、ベルト流通部９は、空調部６ａからの熱媒体を手摺ベルト４ａまで流通させる機能と、空調部６ａからの熱媒体を吹出流通部１０まで流通させる機能とを兼用している。そして、例えば、手摺ベルト４ａには、連続して熱媒体を供給する必要があることに対して、吹出部４ｄには、熱媒体を供給する必要がない場合があるため、当該場合に、開閉部６ｃが閉鎖されることによって、吹出部４ｄに熱媒体を流通することを停止することができる。
【００５０】
また、本実施形態に係るマンコンベヤ用空調装置６においては、前記吹出流通部１０は、前記熱媒体が内部を流通する管路１０ａを備え、前記管路１０ａは、内部の下流側を加圧するための送風機１０ｅを備える、という構成である。
【００５１】
斯かる構成によれば、送風機１０ｅは、管路１０ａの内部のうち、送風機１０ｅよりも下流側を加圧する。これにより、欄干本体４ｂの吹出部４ｄから搬送部３側へ熱媒体を確実に吹き出すことができる。
【００５２】
また、本実施形態に係るマンコンベヤ用空調装置６においては、前記管路１０ａは、主管路１０ｂと、前記主管路１０ｂから分岐され、前記主管路１０ｂと前記吹出部４ｄとを接続する複数の分岐管路１０ｃと、を備え、前記送風機１０ｅは、前記分岐管路１０ｃに配置される、という構成である。
【００５３】
斯かる構成によれば、送風機１０ｅが分岐管路１０ｃに配置されているため、欄干本体４ｂの吹出部４ｄから吹き出す熱媒体に対して確実に加圧することができる。これにより、吹出部４ｄから搬送部３側へ熱媒体をさらに確実に吹き出すことができる。
【００５４】
また、本実施形態に係るマンコンベヤ１は、前記の空調装置６と、人を搬送する搬送部３と、前記空調装置６からの熱媒体を前記搬送部３側へ吹き出す吹出部４ｄを有する欄干部４と、前記搬送部３に乗る人を検出する人検出部８と、前記人検出部８が最後に人を検出してから設定時間が経過した場合に、前記吹出部４ｄから前記熱媒体を吹き出すことを抑制するように、前記空調装置６を制御する制御部７と、を備える。
【００５５】
斯かる構成によれば、人検出部８が最後に人を検出してから設定時間が経過した場合に、吹出部４ｄから搬送部３側へ熱媒体を吹き出すことを抑制することができる。これにより、例えば、吹出部４ｄから熱媒体を吹き出すタイミングを適正にすることができる。
【００５６】
なお、マンコンベヤ１及びマンコンベヤ用空調装置６は、上記した実施形態の構成に限定されるものではなく、また、上記した作用効果に限定されるものではない。また、マンコンベヤ１及びマンコンベヤ用空調装置６は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００５７】
（１）上記実施形態に係るマンコンベヤ１は、空調部６ａを備えている、という構成である。しかしながら、マンコンベヤ１は、斯かる構成に限られない。例えば、マンコンベヤ１は、空調部６ａを備えておらず、例えば、空調部は、マンコンベヤ１が設置される建築設備の空調部（例えば、エアコン）である、という構成でもよい。
【００５８】
（２）また、上記実施形態に係る空調装置６においては、ベルト流通部９と吹出流通部１０とは、空調部６ａに対して直列に接続され、ベルト流通部９は、吹出流通部１０よりも上流側に配置されている、という構成である。しかしながら、空調装置６は、斯かる構成に限られない。
【００５９】
例えば、ベルト流通部９と吹出流通部１０とは、空調部６ａに対して並列に接続されている、という構成でもよい。斯かる構成によれば、吹出流通部１０による吹出部４ｄへの熱媒体の流通を行い、ベルト流通部９による手摺ベルト４ａへの熱媒体の流通を停止することもできる。
【００６０】
また、例えば、ベルト流通部９と吹出流通部１０とは、空調部６ａに対して直列に接続され、ベルト流通部９は、吹出流通部１０よりも下流側に配置されている、という構成でもよい。なお、空調装置６においては、開閉部６ｃが備えられておらず、ベルト流通部９及び吹出流通部１０間が常に開放している、という構成でもよい。
【００６１】
（３）また、上記実施形態に係る空調装置６においては、送風機１０ｅは、吹出流通部１０の分岐管路１０ｃに配置されている、という構成である。しかしながら、空調装置６は、斯かる構成に限られない。
【００６２】
例えば、送風機１０ｅは、ベルト流通部９のみに配置されている、という構成でもよく、ベルト流通部９及び吹出流通部１０の両方に配置されている、という構成でもよい。また、例えば、送風機１０ｅは、吹出流通部１０のうち、主管路１０ｂのみに配置されている、という構成でもよく、主管路１０ｂ及び分岐管路１０ｃの両方に配置されている、という構成でもよい。なお、空調装置６は、送風機１０ｅを備えていない、という構成でもよい。
【００６３】
（４）また、上記実施形態に係る空調装置６においては、人検出部８が最後に人を検出してから設定時間が経過した場合（以下、「人検出無しの場合」という）に、開閉部６ｃが閉鎖され、送風機１０ｅが停止する、という構成である。しかしながら、空調装置６は、斯かる構成に限られない。
【００６４】
（４−１）例えば、人検出無しの場合に、開閉部６ｃの開放が維持され、送風機１０ｅが逆回転し、送風機１０ｅよりも下流側の管路１０ａの内部が減圧されることによって、吹出部４ｄから搬送部３側へ熱媒体を吹き出すことが抑制される、という構成でもよい。そして、斯かる構成においては、例えば、吹出流通部１０は、人検出無しの場合に、主管路１０ｂの下流端から熱媒体を排出する排出部を備えている、という構成でもよい。
【００６５】
斯かる構成によれば、人検出無しの場合に、排出部から熱媒体が排出されるため、人検出無しの場合においても、吹出流通部１０の主管路１０ｂの内部に熱媒体が滞留することを抑制することができる。これにより、吹出流通部１０の内部の熱媒体の温度が外気の温度に近づくことを抑制することができるため、吹出部４ｄから熱媒体を再び吹き出す際に、適切な温度の熱媒体を吹出部４ｄから吹き出すことができる。
【００６６】
（４−２）また、例えば、人検出無しの場合に、開閉部６ｃの開放が維持され、送風機１０ｅが停止し、空調部６ａからの熱媒体の供給量が低下されることによって、吹出部４ｄから搬送部３側へ熱媒体を吹き出すことが抑制される、という構成でもよい。そして、斯かる構成においても、例えば、吹出流通部１０は、人検出無しの場合に、主管路１０ｂの下流端から熱媒体を排出する排出部を備えている、という構成でもよい。
【００６７】
（４−３）また、例えば、人検出無しの場合に、吹出部４ｄから熱媒体を変わらずに吹き出す、という構成でもよい。これにより、吹出部４ｄから搬送部３側へ熱媒体が連続して吹き出されるため、例えば、最後に人が搬送部３に乗った後に、時間が空いた場合でも、搬送部３上の温度を適切にすることができる。
【符号の説明】
【００６８】
１…マンコンベヤ、１ａ…乗降部、１ｂ…乗降部、１ｃ…床プレート、２…構造体、２ａ…機械室、２ｂ…機械室、３…搬送部、３ａ…走行部、３ｂ…ステップ、４…欄干部、４ａ…手摺ベルト、４ｂ…欄干本体、４ｃ…収容部、４ｄ…吹出部、４ｅ…パネル、５…駆動部、５ａ…第１回転部、５ｂ…駆動源、５ｃ…第２回転部、６…空調装置、６ａ…空調部、６ｂ…流通部、６ｃ…開閉部、７…制御部、７ａ…取得部、７ｂ…記憶部、７ｃ…演算部、７ｄ…駆動制御部、７ｅ…空調制御部、７ｆ…出力制御部、８…人検出部、９…ベルト流通部、９ａ…管路、９ｂ…流出部、１０…吹出流通部、１０ａ…管路、１０ｂ…主管路、１０ｃ…分岐管路、１０ｄ…開口部、１０ｅ…送風機、１１…入力部、１２…出力部、Ｄ１…前後方向、Ｄ２…幅方向、Ｄ３…上下方向
【要約】      （修正有）【課題】手摺ベルトと欄干本体の吹出部との両方へ熱媒体を流通することができるマンコンベヤ用空調装置を提供する。【解決手段】マンコンベヤ用空調装置は、空調部か６ａら供給される加熱又は冷却するための空気である熱媒体を流通させる流通部６ｂを備え、流通部６ｂは、手摺ベルト４ａまで熱媒体を流通させるベルト流通部９と、手摺ベルト４ａを支持する欄干本体４ｂの複数の吹出部から搬送部側３へ熱媒体を吹き出すために、複数の吹出部まで熱媒体を流通させる吹出流通部１０と、を備える。【選択図】図１【図１】
0006923031.tif 000002
【図２】
0006923031.tif 000003
【図３】
0006923031.tif 000004
【図４】
0006923031.tif 000005
【図５】
0006923031.tif 000006
【図６】
0006923031.tif 000007
【図７】
0006923031.tif 000008